(57)【特許請求の範囲】
【請求項１】
サブフレームのサブセットを示すシグナリングを受信することと、
物理ダウンリンク共有チャネル（ＰＤＳＣＨ）上でデータを送信するためのサブフレームのセットからのサブフレームの前記サブセットを備える送信時間インターバル（ＴＴＩ）バンドルを識別することと、ここにおいて、サブフレームの前記サブセットは異なるタイプのＰＤＳＣＨ送信のために異なるサブフレームを備え、
前記シグナリングに基づいて、サブフレームの前記サブセットにおいて前記ＰＤＳＣＨ上で前記データを受信することと、ここにおいて、サブフレームの前記サブセットは、ブロードキャストＰＤＳＣＨのためのマルチメディアブロードキャスト単一周波数ネットワーク（ＭＢＳＦＮ）サブフレームではないサブフレームを備える、
を備える、ユーザ機器（ＵＥ）によるワイヤレス通信のための方法。
【請求項２】
前記データは、周波数分割デュプレックス（ＦＤＤ）または時分割デュプレックス（ＴＤＤ）のフレーム構造内にある、請求項１に記載の方法。
【請求項３】
サブフレームの前記サブセットにおける１つまたは複数のサブフレームにおいて送信されるように構成された信号を識別することと、
前記識別に応答してアクションを取ることと、をさらに備える、請求項１に記載の方法。
【請求項４】
前記アクションを取ることは、サブフレームの前記サブセットにおけるマルチメディアブロードキャスト単一周波数ネットワーク（ＭＢＳＦＮ）サブフレームのためのエラーイベントを宣言することを備える、請求項３に記載の方法。
【請求項５】
サブフレームのサブセットの表示をシグナリングすることと、
物理ダウンリンク共有チャネル（ＰＤＳＣＨ）上でデータを送信するためのサブフレームのセットからのサブフレームの前記サブセットを備える送信時間インターバル（ＴＴＩ）バンドルを識別することと、ここにおいて、サブフレームの前記サブセットは異なるタイプのＰＤＳＣＨ送信のために異なるサブフレームを備え、
前記シグナリングに基づいて、サブフレームの前記サブセットにおいて前記ＰＤＳＣＨ上で前記データを送信することと、ここにおいて、サブフレームの前記サブセットは、ブロードキャストＰＤＳＣＨのためのマルチメディアブロードキャスト単一周波数ネットワーク（ＭＢＳＦＮ）サブフレームではないサブフレームを備える、
を備える、基地局（ＢＳ）によるワイヤレス通信のための方法。
【請求項６】
サブフレームの前記サブセットは、システム情報ブロック（ＳＩＢ）を有するＰＤＳＣＨのためのマルチメディアブロードキャスト単一周波数ネットワーク（ＭＢＳＦＮ）サブフレームではないサブフレームを備える、請求項５に記載の方法。
【請求項７】
サブフレームの前記サブセットにおける１つまたは複数のサブフレームにおいて送信されるように構成された信号を識別することと、
前記識別に応答してアクションを取ることと、をさらに備える、請求項５に記載の方法。
【請求項８】
前記ＰＤＳＣＨは、ページング、システム情報ブロードキャスト、またはランダムアクセス応答の少なくとも１つのためのものであり、
前記信号は、チャネル状態情報（ＣＳＩ）基準信号（ＲＳ）を備え、
前記アクションを取ることは、サブフレームの前記サブセットにおいて前記ＰＤＳＣＨを前記ＣＳＩ−ＲＳでパンクチャすること、または前記ＣＳＩ−ＲＳにより占有されたリソースエレメント（ＲＥ）のまわりで前記ＰＤＳＣＨのためのレートマッチングを実行することのうちの少なくとも１つを備える、請求項７に記載の方法。
【請求項９】
前記信号は、基準信号（ＲＳ）を備え、
前記アクションを取ることは、前記ＲＳをドロップすることを備える、請求項７に記載の方法。
【請求項１０】
前記ＲＳは、チャネル状態情報（ＣＳＩ）基準信号（ＣＳＩ−ＲＳ）を備え、
前記ドロップすることは、
ページングのためのＴＴＩバンドリングのための全ての可能性のあるサブフレームと、
ページングのためのＴＴＩバンドリングに含まれるセル特有のサブフレームと、
システム情報ブロードキャスト（ＳＩＢ）を有するブロードキャストＰＤＳＣＨのためのサブフレームの前記サブセットと、
サブフレームの前記サブセットの第１のサブフレームと、
のうちの少なくとも１つにおいて前記ＣＳＩ−ＲＳをドロップすることを備える、請求項９に記載の方法。
【請求項１１】
前記ＲＳは、ポジショニング基準信号（ＰＲＳ）を備え、
前記ＲＳを前記ドロップすることは、サブフレームの前記サブセットの第１のサブフレームにおいて前記ＰＲＳをドロップすることを備え、
サブフレームの前記サブセットの残りのサブフレームにおいてＰＤＳＣＨ送信をドロップすることまたは部分的にドロップすることをさらに備える、請求項９に記載の方法。
【請求項１２】
前記ＲＳは、ポジショニング基準信号（ＰＲＳ）を備え、
前記ＲＳを前記ドロップすることは、サブフレームの前記サブセットにおいて前記ＰＲＳをドロップすることを備える、請求項９に記載の方法。
【請求項１３】
前記アクションを取ることは、サブフレームの前記サブセットにおけるマルチブロードキャスト単一周波数ネットワーク（ＭＢＳＦＮ）サブフレーム内のＵＥ特有のＲＳまたはセル特有の基準信号（ＣＲＳ）に基づいてＰＤＳＣＨを送信することを備える、請求項７に記載の方法。
【請求項１４】
サブフレームのサブセットを示すシグナリングを受信するための手段と、
物理ダウンリンク共有チャネル（ＰＤＳＣＨ）上でデータを送信するためのサブフレームのセットからのサブフレームの前記サブセットを備える送信時間インターバル（ＴＴＩ）バンドルを識別するための手段と、ここにおいて、サブフレームの前記サブセットは異なるタイプのＰＤＳＣＨ送信のために異なるサブフレームを備え、
前記シグナリングに基づいて、サブフレームの前記サブセットにおいて前記ＰＤＳＣＨ上で前記データを受信するための手段と、ここにおいて、サブフレームの前記サブセットは、ブロードキャストＰＤＳＣＨのためのマルチメディアブロードキャスト単一周波数ネットワーク（ＭＢＳＦＮ）サブフレームではないサブフレームを備える、
を備える、ユーザ機器（ＵＥ）によるワイヤレス通信のための装置。
【請求項１５】
サブフレームのサブセットの表示をシグナリングするための手段と、
物理ダウンリンク共有チャネル（ＰＤＳＣＨ）上でデータを送信するためのサブフレームのセットからのサブフレームのサブセットを備える送信時間インターバル（ＴＴＩ）バンドルを識別するための手段と、ここにおいて、サブフレームの前記サブセットは異なるタイプのＰＤＳＣＨ送信のために異なるサブフレームを備え、
前記シグナリングに基づいて、サブフレームの前記サブセットにおいて前記ＰＤＳＣＨ上で前記データを送信するための手段と、ここにおいて、サブフレームの前記サブセットは、ブロードキャストＰＤＳＣＨのためのマルチメディアブロードキャスト単一周波数ネットワーク（ＭＢＳＦＮ）サブフレームではないサブフレームを備える、
を備える、基地局（ＢＳ）によるワイヤレス通信のための装置。
【発明の詳細な説明】
【米国特許法第１１９条の下の優先権主張】
【０００１】
[0001]  本願は、その全体が参照によりここに組み込まれる、２０１３年７月２６日に出願された米国仮特許出願番号第６１／８５９，１１１号の利益を主張する。
【技術分野】
【０００２】
[0002]  本開示の特定の実施形態は、一般的にワイヤレス通信に関し、より詳細には、ロングタームエボリューション（ＬＴＥ（登録商標））における物理ダウンリンク共有チャネル（ＰＤＳＣＨ）のための送信時間インターバル（ＴＴＩ）バンドリングに関する。
【背景技術】
【０００３】
[0003]  ワイヤレス通信システムは、音声、データ等のような様々なタイプの通信コンテンツを提供するために広く展開されている。これらのシステムは、利用可能なシステムリソース（例えば、帯域幅および送信電力）を共用することによって、複数のユーザとの通信をサポートすることが可能な多元接続システムであり得る。このような多元接続システムの例は、符号分割多元接続（ＣＤＭＡ）システム、時分割多元接続（ＴＤＭＡ）システム、周波数分割多元接続（ＦＤＭＡ）システム、３ＧＰＰ（登録商標） ロングタームエボリューション（ＬＴＥ）システム、および直交周波数分割多元接続（ＯＦＤＭＡ）システムを含む。
【０００４】
[0004]  一般に、ワイヤレス多元接続通信システムは、複数のワイヤレス端末の通信を同時にサポートできる。各端末は、順方向および逆方向リンク上の送信を介して１つまたは複数の基地局と通信する。順方向リンク（または、ダウンリンク）は、基地局から端末への通信リンクを指し、逆方向リンク（または、アップリンク）は、端末から基地局への通信リンクを指す。この通信リンクは、単一入力単一出力、多入力単一出力、または多入力多出力（ＭＩＭＯ）のシステムを介して確立され得る。
【０００５】
[0005]  ＭＩＭＯシステムは、データ伝送のために、複数（ＮＴ）個の送信アンテナ、および複数（ＮＲ）個の受信アンテナを用いる。ＮＴ個の送信アンテナとＮＲ個の受信アンテナとによって形成されたＭＩＭＯチャネルは、空間チャネルとも呼ばれるＮＳ個の独立チャネルに分解されることができ、ここで、ＮＳ≦ｍｉｎ｛ＮＴ，ＮＲ｝である。ＮＳ個の独立チャネルの各々は、一次元に対応する。ＭＩＭＯシステムは、複数の送信アンテナと受信アンテナとによって作り出される追加の次元が利用される場合、改善されたパフォーマンス（例えば、より高いスループットおよび／またはより大きな信頼性）を提供することができる。
【０００６】
[0006]  ＭＩＭＯシステムは、時分割デュプレックス（ＴＤＤ）および／または周波数分割デュプレックス（ＦＤＤ）システムをサポートし得る。ＴＤＤシステムでは、順方向リンク送信と逆方向リンク送信は同一の周波数領域におけるものなので、相反定理により、逆方向リンクチャネルから順方向リンクチャネルの推定が可能である。これは、複数のアンテナが基地局で利用可能であるとき基地局が順方向リンク上で送信ビームフォーミング利得を抽出することを可能にする。ＦＤＤシステムにおいて、順方向および逆方向リンク送信は、異なる周波数領域上にある。
【０００７】
[0007]  伝統的なＬＴＥ設計の主な焦点は、スペクトル効率の改善、ユビキタスカバレージ、改善されたサービス品質（ＱｏＳ）サポート等である。これは、最先端のスマートフォン、タブレット等といったハイエンドデバイスを典型的にもたらす。しかしながら、低コスト、低レートデバイスも、サポートされる必要がある。いくつかの市場予測が、低コストデバイスの数が今日の携帯電話の数を大きく超え得ることを示す。
【０００８】
[0008]  ＬＴＥに基づく低コストＭＴＣ（マシンタイプ通信）ＵＥの提供についての検討事項が、ＬＴＥ  Ｒｅｌ−１１においてなされた。特に、以下の項目：最大帯域幅の低減、単一受信ＲＦチェーン、ピークレートの低減、送信電力の低減、半二重通信、が検討中である。
【０００９】
[0009]  低コストデバイスのための意図されたデータレートは、１００ｋｂｐｓに満たないため、コストを低減するために狭帯域幅でのみデバイスを動作させることが可能である。２つの動作シナリオが、考慮され得る。１つの直接的な配置シナリオは、ＭＴＣオペレーションをサポートするために、例えば１．２５ＭＨｚのいくつかの狭帯域幅を確保することである。そのようなオペレーションに関して規格の変更は必要でない。別の、より興味深いシナリオは、大きな帯域幅において低コストＵＥを動作させることである。このケースでは、低コストＵＥが、通常のＵＥと共存し得る。２つの可能性のあるシナリオが、大きな帯域幅において低コストＵＥの動作のために考慮され得る。１つのシナリオにおいて、低コストＵＥは、利用可能な帯域幅（例えば、２０ＭＨｚまで）全体にわたって動作し得る。このシナリオは、規格に対してどのような影響も有さないかもしれないが、コストを減らし、バッテリー電力消費を減らすことに役立たないかもしれない。別のシナリオにおいて、低コストＵＥは、帯域幅の小さな部分にわたって動作し得る。
【発明の概要】
【００１０】
[0010]  ワイヤレス通信、および、より詳細には、ロングタームエボリューション（ＬＴＥ）における物理ダウンリンク共有チャネル（ＰＤＳＣＨ）のための送信時間インターバル（ＴＴＩ）のための技法および装置がここに提供される。「ＬＴＥ」は、ＬＴＥおよびＬＴＥアドバンストを指し得る。
【００１１】
[0011]  本開示のある特定の態様は、ユーザ機器（ＵＥ）によるワイヤレス通信のための方法を提供する。この方法は、物理ダウンリンク共有チャネル（ＰＤＳＣＨ）上でデータを送信するためのサブフレームのセットからのサブフレームのサブセットを備える送信時間インターバル（ＴＴＩ）バンドルを識別すること、およびサブフレームのサブセットにおいてＰＤＳＣＨ上でデータを受信することを一般的に含む。
【００１２】
[0012]  本開示のある特定の態様は、基地局（ＢＳ）によるワイヤレス通信のための方法を提供する。方法は、物理ダウンリンク共有チャネル（ＰＤＳＣＨ）上でデータを送信するためのサブフレームのセットからのサブフレームのサブセットを備える送信時間インターバル（ＴＴＩ）バンドルを識別すること、およびサブフレームのサブセットにおいてＰＤＳＣＨ上でデータを送信することを一般的に含む。
【００１３】
[0013]  本開示のある特定の態様は、ユーザ機器（ＵＥ）によるワイヤレス通信のための装置を提供する。装置は、物理ダウンリンク共有チャネル（ＰＤＳＣＨ）上でデータを送信するためのサブフレームのセットからのサブフレームのサブセットを備える送信時間インターバル（ＴＴＩ）バンドルを識別するための手段、およびサブフレームのサブセットにおいてＰＤＳＣＨ上でデータを受信するための手段を一般的に含む。
【００１４】
[0014]  本開示のある特定の態様は、ユーザ機器（ＵＥ）によるワイヤレス通信のための装置を提供する。装置は、物理ダウンリンク共有チャネル（ＰＤＳＣＨ）上でデータを送信するためのサブフレームのセットからのサブフレームのサブセットを備える送信時間インターバル（ＴＴＩ）バンドルを識別し、サブフレームのサブセットにおいてＰＤＳＣＨ上でデータを受信するように構成された少なくとも１つのプロセッサを一般的に含む。装置はまた、少なくとも１つのプロセッサに結合されたメモリを一般的に含む。
【００１５】
[0015]  本開示の特定の態様は、ワイヤレス通信システムを実装するためのプログラム命令を備えるコンピュータ読取可能な記憶媒体を提供する。記憶媒体は、物理ダウンリンク共有チャネル（ＰＤＳＣＨ）上でデータを送信するためのサブフレームのセットからのサブフレームのサブセットを備える送信時間インターバル（ＴＴＩ）バンドルを識別するプログラム命令、およびサブフレームのサブセットにおいてＰＤＳＣＨ上でデータを受信するプログラム命令を一般的に含む。
【００１６】
[0016]  本開示のある特定の態様は、基地局（ＢＳ）によるワイヤレス通信のための装置を提供する。装置は、物理ダウンリンク共有チャネル（ＰＤＳＣＨ）上でデータを送信するためのサブフレームのセットからのサブフレームのサブセットを備える送信時間インターバル（ＴＴＩ）バンドルを識別するための手段、およびサブフレームのサブセットにおいてＰＤＳＣＨ上でデータを送信するための手段を一般的に含む。
【００１７】
[0017]  本開示のある特定の態様は、基地局（ＢＳ）によるワイヤレス通信のための装置を提供する。装置は、物理ダウンリンク共有チャネル（ＰＤＳＣＨ）上でデータを送信するためのサブフレームのセットからのサブフレームのサブセットを備える送信時間インターバル（ＴＴＩ）バンドルを識別し、サブフレームのサブセットにおいてＰＤＳＣＨ上でデータを送信するように構成された少なくとも１つのプロセッサを一般的に含む。装置はまた、少なくとも１つのプロセッサに結合されたメモリを一般的に含む。
【００１８】
[0018]  本開示の特定の態様は、ワイヤレス通信システムを実装するためのプログラム命令を備えるコンピュータ読取可能な記憶媒体を提供する。記憶媒体は、物理ダウンリンク共有チャネル（ＰＤＳＣＨ）上でデータを送信するためのサブフレームのセットからのサブフレームのサブセットを備える送信時間インターバル（ＴＴＩ）バンドルを識別するプログラム命令、およびサブフレームのサブセットにおいてＰＤＳＣＨ上でデータを送信するプログラム命令を一般的に含む。
【００１９】
[0019]  方法、装置、システム、コンピュータプログラム製品、および処理システムを含む多数の他の態様が提供される。
【図面の簡単な説明】
【００２０】
[0020]  以上に述べた本開示の特徴を詳細に理解できるように、上では簡潔に概要を述べた、より詳細な説明が、態様を参照して行われることができ、その態様のいくつかは、添付の図面に示されている。しかしながら、添付の図面に示されているのは、この開示のある特定の典型的な態様のみであるので、その範囲を限定するものと考えられるべきではないということに注意すべきである。というのも、この説明は、同様に効果的な他の態様にも認められ得るものだからである。
【図１】[0021]  図１は、本開示のある特定の態様にしたがう多元接続ワイヤレス通信システムを図示する。
【図２】[0022]  図２は、本開示のある特定の態様にしたがう通信システムのブロック図を図示する。
【図３】[0023]  図３は、本開示のある特定の態様にしたがうブロードキャストＰＤＳＣＨ ＴＴＩバンドリングのための例示的な可能性のあるサブフレームを図示する。
【図４】[0024]  図４は、本開示のある特定の態様にしたがうユーザ機器（ＵＥ）によるワイヤレス通信のための例示的な動作を図示する。
【図５】[0025]  図５は、本開示のある特定の態様にしたがう基地局（ＢＳ）によるワイヤレス通信のための例示的な動作を図示する。
【詳細な説明】
【００２１】
[0026]  ロングタームエボリューション（ＬＴＥ）における送信時間インターバル（ＴＴＩ）バンドリングおよび物理ダウンリンク共有チャネル（ＰＤＳＣＨ）のための技法が、ここに提供される。ある特定の態様にしたがうと、ＰＤＳＣＨのためのＴＴＩバンドリングが、基準信号（ＲＳ）（例えば、チャネル状態情報（ＣＳＩ）ＲＳまたはポジショニングＲＳ（ＰＲＳ））との衝突の場合に適切なシステムオペレーションを確実にするためにサブフレーム依存であり得る。例えば、サブフレームの可能性のあるサブセットのみがバンドルされ得る。衝突を回避するために、基準信号が特定のサブフレームにおいてドロップされ得る。特定の態様について、基準信号は、ＰＤＳＣＨをパンクチャし得、またはレートマッチングは基準信号によって占有されたリソースエレメントのまわりで実行され得る。特定の態様について、異なる技法が異なるタイプのＰＢＳＣＨ（例えば、ページングまたはシステム情報ブロードキャスト（ＳＩＢ）を有するＰＢＳＣＨ）のために使用され得る。
【００２２】
[0027]  様々な態様が、ここで図面を参照して説明される。以下の記述では、説明の目的のために、多くの具体的な詳細が、１つまたは複数の態様の完全な理解を提供するために記載される。しかしながら、そのような（単数または複数の）態様が、これらの特定の詳細がなくても実施され得ることは明らかである。
【００２３】
[0028]  本願で使用される場合、「コンポーネント」、「モジュール」、「システム」等の用語は、それに限定されるものではないが、ハードウェア、ソフトウェア／ファームウェア、ハードウェアとソフトウェア／ファームウェアの組合せ、または実行中のソフトウェア／ファームウェアのような、コンピュータ関連エンティティを含むように意図される。例えば、コンポーネントは、それに限定されるものではないが、プロセッサで実行中のプロセス、プロセッサ、オブジェクト、実行ファイル、実行スレッド、プログラムおよび／またはコンピュータであり得る。例として、コンピューティングデバイスで実行中のアプリケーションとコンピューティングデバイスの両方が、コンポーネントであり得る。１つまたは複数のコンポーネントが、プロセスおよび／または実行スレッド内に存在することができ、１つのコンポーネントが、１つのコンピュータでローカライズされること、および／または、２つ以上のコンピュータ間で分散されることができる。加えて、これらのコンポーネントは、その上に記憶された様々なデータ構造を有する様々なコンピュータ読取可能な媒体から実行され得る。これらコンポーネントは、インターネットのようなネットワークを介して別のコンポーネントと対話する１つのコンポーネントからのデータ、および／または、ローカルシステムや分散システム内の別のコンポーネントと対話する１つのコンポーネントからのデータのような、１つまたは複数のデータパケットを有する信号にしたがったような、ローカル処理および／またはリモート処理によって、他のシステムと信号によって通信し得る。
【００２４】
[0029]  さらに、本明細書では、様々な態様が端末に関して説明され、それは、有線端末またはワイヤレス端末であり得る。端末は、システム、デバイス、加入者ユニット、加入者局、移動局、移動体、モバイルデバイス、遠隔局、遠隔端末、アクセス端末、ユーザ端末、通信デバイス、ユーザエージェント、ユーザデバイス、またはユーザ機器（ＵＥ）とも呼ばれることができる。ワイヤレス端末は、セルラ電話、衛星電話、コードレス電話、セッション開始プロトコル（ＳＩＰ）電話、スマートフォン、タブレット、ウルトラブック（Ultrabook）、ネットブック、スマートブック、ワイヤレスローカルループ（ＷＬＬ）局、携帯情報端末（ＰＤＡ）、ワイヤレス接続機能を有するハンドヘルドデバイス、コンピューティングデバイス、または、無線モデムに接続されたその他の処理デバイスであり得る。さらに、本明細書では、様々な態様が、基地局に関して説明される。基地局は、（単数または複数の）ワイヤレス端末と通信するために利用され、アクセスポイント、ノードＢ、またはその他いくつかの用語でも称され得る。
【００２５】
[0030]  さらに、「または（or）」という用語は、排他的な「または」ではなく、包括的な「または」を意味するように意図される。すなわち、別段の規定がない限り、または文脈から明白でない限り、「ＸはＡまたはＢを使用する」という句は、自然な包括的置換のいずれかを意味するものとする。つまり、「ＸはＡまたはＢを使用する」という句は、ＸがＡを使用する場合、ＸがＢを使用する場合、またはＸがＡとＢの両方を使用する場合のいずれによっても満たされる。さらに、本出願および添付の特許請求の範囲で使用される冠詞「ａ」および「ａｎ」は、別段の規定がない限り、または単数形を示すことが文脈から明白でない限り、概して「１つまたは複数」を意味するものと解釈されるべきである。
【００２６】
[0031]  ここに説明される技術は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワーク等のような様々な無線通信ネットワークのために使用され得る。「ネットワーク」および「システム」という用語は、しばしば交換可能に使用される。ＣＤＭＡネットワークは、ユニバーサル地上無線アクセス（ＵＴＲＡ）、ＣＤＭＡ２０００等のような無線技術を実装し得る。ＵＴＲＡは、広帯域ＣＤＭＡ（Ｗ−ＣＤＭＡ（登録商標））を含む。ＣＤＭＡ２０００は、ＩＳ−２０００、ＩＳ−９５およびＩＳ−８５６スタンダードをカバーする。ＴＤＭＡネットワークは、モバイル通信のためのグローバルシステム（ＧＳＭ（登録商標））のような無線技術を実装し得る。
【００２７】
[0032]  ＯＦＤＭＡネットワークは、発展型ＵＴＲＡ（Ｅ−ＵＴＲＡ）、米国電気電子学会（ＩＥＥＥ）８０２．１１、ＩＥＥＥ ８０２．１６、ＩＥＥＥ ８０２．２０、フラッシュ−ＯＦＤＭ（登録商標）等のような無線技術を実装し得る。ＵＴＲＡ、Ｅ−ＵＴＲＡ、およびＧＳＭは、ユニバーサルモバイルテレコミュニケーションシステム（ＵＭＴＳ）の一部である。ロングタームエボリューション（ＬＴＥ）は、Ｅ−ＵＴＲＡを使用するＵＭＴＳの最近のリリースである。ＵＴＲＡ、Ｅ−ＵＴＲＡ、ＧＳＭ、ＵＭＴＳ、およびＬＴＥは、「第３世代パートナシッププロジェクト」（３ＧＰＰ）と命名された組織からの文書に説明されている。ＣＤＭＡ２０００は、「第３世代パートナシッププロジェクト２」（３ＧＰＰ２）と命名された組織からの文書に説明されている。これらの様々な無線技術および規格は、当該技術分野において既知である。明確さのために、これら技法のある特定の態様は、ＬＴＥ／ＬＴＥ−アドバンスト（ＬＴＥ−Ａ）に関して以下に説明され、ＬＴＥ／ＬＴＥ−Ａ用語が以下の説明の多くで使用されている。ＬＴＥ用語は説明の目的で使用され、本開示の範囲はＬＴＥに限定されないことが留意されるべきである。むしろ、ここで説明された技法は、パーソナルエリアネットワーク（ＰＡＮ）、ボディエリアネットワーク（ＢＡＮ）、ロケーション、Ｂｌｕｅｔｏｏｔｈ（登録商標）、ＧＰＳ、ＵＷＢ、ＲＦＩＤ等といったワイヤレス送信を含む様々なアプリケーションで利用され得る。さらに、技法は、ケーブルモデム、ファイバーベースのシステム等といったワイヤードシステムにおいて利用されることもできる。
【００２８】
[0033]  シングルキャリア変調および周波数領域等化を利用するシングルキャリア周波数分割多元接続（ＳＣ−ＦＤＭＡ）は、ＯＦＤＭＡシステムのものと同様のパフォーマンスおよび実質的に同一の全体的な複雑性を有する。ＳＣ−ＦＤＭＡ信号は、その固有のシングルキャリア構造のために、より低いピーク対平均電力比（ＰＡＰＲ）を有し得る。ＳＣ−ＦＤＭＡ信号は、送信電力効率の観点から、より低いＰＡＰＲがモバイル端末に大いに有益となるアップリンク通信において使用され得る。ＳＣ−ＦＤＭＡは、現在、３ＧＰＰロングタームエボリューション（ＬＴＥ）、または発展型ＵＴＲＡにおけるアップリンク多元接続スキームのための動作想定（working assumption）である。
【例示的なワイヤレス通信システム】
【００２９】
[0034]  図１を参照すると、１つの態様にしたがう多元接続ワイヤレス通信システム１００が図示されている。アクセスポイント１０２（ＡＰ）は、複数のアンテナグループを含み、１つは１０４および１０６を含み、別のものは１０８および１１０を含み、さらなるものは１１２および１１４を含む。図１では、各アンテナグループにつき２つのアンテナのみが示されているが、より多くのアンテナまたはより少ないアンテナが各アンテナグループのために利用され得る。アクセス端末１１６（ＡＴ）は、アンテナ１１２および１１４と通信中であり、アンテナ１１２および１１４は、順方向リンク１２０によってアクセス端末１１６に情報を送信し、逆方向リンク１１８によってアクセス端末１１６から情報を受信する。アクセス端末１２２は、アンテナ１０６および１０４と通信中であり、アンテナ１０６および１０４は、順方向リンク１２６によってアクセス端末１２２に情報を送信し、逆方向リンク１２４によってアクセス端末１２２から情報を受信する。周波数分割デュプレックス（ＦＤＤ）システムにおいて、通信リンク１１８、１２０、１２４、および１２６は、通信のために異なる周波数を使用し得る。例えば、逆方向リンク１１８は、順方向リンク１２０によって使用されるものとは異なる周波数を使用し得る。
【００３０】
[0035]  アンテナの各グループおよび／またはそれらが通信するように設計されたエリアは、しばしば、アクセスポイントのセクタと呼ばれる。ある態様において、アンテナグループの各々は、アクセスポイント１０２によってカバーされるエリアのセクタ内のアクセス端末と通信をするように設計されている。
【００３１】
[0036]  順方向リンク１２０および１２６による通信において、アクセスポイント１０２の送信アンテナは、異なるアクセス端末１１６および１２２に対する順方向リンクの信号対雑音比を改善するためにビームフォーミングを利用する。また、そのカバレージにわたってランダムに分散されたアクセス端末に送信するためにビームフォーミングを使用するアクセスポイントは、近隣セルにおけるアクセス端末に、全てのそのアクセス端末に単一のアンテナを介して送信するアクセスポイントよりも少ない干渉をもたらす。
【００３２】
[0037]  アクセスポイントは、端末と通信するために使用される固定局であり得、ノードＢ、発展型ノードＢ（ｅＮＢ）、または何らかの他の用語でも称され得る。アクセス端末は、移動局、ユーザ機器（ＵＥ）、ワイヤレス通信デバイス、端末、または何らかの他の用語でも呼ばれ得る。特定の態様について、ＡＰ１０２またはアクセス端末１１６、１２２のいずれかが、システムのパフォーマンスを改善するために提案された干渉除去技法を利用し得る。
【００３３】
[0038]  図２は、ＭＩＭＯシステム２００における送信機システム２１０および受信機システム２５０の態様のブロック図である。送信機システム２１０において、多数のデータストリームのためのトラフィックデータが、データソース２１２から送信（ＴＸ）データプロセッサ２１４に提供される。本開示の実施形態は、有線（ワイヤード）の図２の同等のシステムにも適用可能である。送信機システム２１０および受信機システム２５０は両方とも、（例えば、以下に概説するように）送信および受信し得る。
【００３４】
[0039]  ある態様において、各データストリームは、それぞれの送信アンテナによって送信される。ＴＸデータプロセッサ２１４は、各データストリームのためのトラフィックデータを、そのデータストリームのために選択された特定の符号化方式に基づいて、フォーマット、符号化、およびインターリーブし、符号化されたデータを供給する。
【００３５】
[0040]  各データストリームに対する符号化されたデータはＯＦＤＭ技法を使用してパイロットデータとともに多重化され得る。パイロットデータは、典型的に既知の方法で処理される既知のデータパターンであり、チャネル応答を推定するために受信機システムで使用され得る。各データストリームに対して多重化されたパイロットおよび符号化されたデータは、その後、変調シンボルを提供するために、そのデータストリームに対して選択された特定の変調スキーム（例えば、２相位相シフトキーイング（ＢＰＳＫ）、４相位相シフトキーイング（ＱＰＳＫ）、Ｍが２の累乗となり得るＭ−ＰＳＫ、またはＭ−ＱＡＭ（振幅位相変調）に基づいて、変調（例えば、シンボルマッピング）される。各データストリームのためのデータレート、符号化、および変調は、メモリ２３２と結合され得るプロセッサ２３０によって実行される命令によって決定され得る。
【００３６】
[0041]  そして、すべてのデータストリームのための変調シンボルがＴＸ ＭＩＭＯプロセッサ２２０に供給され、それは（例えば、ＯＦＤＭ用に）変調シンボルをさらに処理し得る。ＴＸ ＭＩＭＯプロセッサ２２０は、その後、ＮＴ個の変調シンボルストリームをＮＴ個の送信機（ＴＭＴＲ）２２２ａ〜２２２ｔに提供する。特定の実施形態において、ＴＸ ＭＩＭＯプロセッサ２２０は、データストリームのシンボル、およびシンボルが送信されているアンテナにビームフォーミングの重みを適用する。
【００３７】
[0042]  各送信機２２２は、１つまたは複数のアナログ信号を提供するために、それぞれのシンボルストリームを受信および処理し、さらにＭＩＭＯチャネルをわたる送信に適した変調信号を提供するために、そのアナログ信号を調整（例えば、増幅、フィルタリング、およびアップコンバート）する。送信機２２２ａ〜２２２ｔからのＮＴ個の変調信号は、その後、それぞれＮＴ個のアンテナ２２４ａ〜２２４ｔから送信される。
【００３８】
［0043］  受信機システム２５０において、送信された変調信号がＮＲ個のアンテナ２５２ａ〜２５２ｒによって受信され、各アンテナ２５２からの受信信号は、それぞれの受信機（ＲＣＶＲ）２５４ａ〜２５４ｒに提供される。各受信機２５４は、それぞれの受信した信号を調整（例えば、フィルタリング、増幅、およびダウンコンバート）し、サンプルを提供するために調整された信号をデジタル化し、対応する「受信した」シンボルストリームを提供するためにサンプルをさらに処理する。
【００３９】
[0044]  ＲＸデータプロセッサ２６０は、それから、ＮＴ個の「検出された」シンボルストリームを提供するために、特定の受信機処理技法に基づいて、ＮＲ個の受信機２５４からＮＲ個の受信シンボルストリームを受信および処理する。ＲＸデータプロセッサ２６０は、各検出したシンボルストリームを復調し、デインターリーブし、デコードして、データストリームに対するトラフィックデータを回復する。ＲＸデータプロセッサ２６０による処理は、送信機システム２１０においてＴＸ ＭＩＭＯプロセッサ２２０およびＴＸデータプロセッサ２１４によって実行されるものと補完的である。以下にさらに説明されるように、ＲＸデータプロセッサ２６０は、受信された信号上の干渉を除去するために干渉除去を利用し得る。
【００４０】
[0045]  メモリ２７２に結合されたプロセッサ２７０は、逆方向リンクメッセージを形成(formulate)する。逆方向リンクメッセージは、通信リンクおよび／または受信されたデータストリームに関する様々なタイプの情報を含み得る。逆方向リンクメッセージは、データソース２３６からも多数のデータストリームのためのトラフィックデータを受け取るＴＸデータプロセッサ２３８によって処理され、変調器２８０によって変調され、送信機２５４ａ〜２５４ｒによって調整され、送信機システム２１０へと返信される。
【００４１】
［0046］  送信機システム２１０において、受信機システム２５０からの変調信号は、アンテナ２２４によって受信され、受信機２２２によって調整され、復調器２４０によって復調され、ＲＸデータプロセッサ２４２によって処理され、受信機システム２５０によって送信された逆方向リンクメッセージが抽出される。
【ＰＤＳＣＨのための例示的なＴＴＩバンドリング】
【００４２】
[0047]  特定のシステム（例えば、ロングタームエボリューション（ＬＴＥ）リリース８−１０）において、送信時間インターバル（ＴＴＩ）（またはサブフレーム）バンドリングが、ユーザ機器（ＵＥ）ごとのベースで構成されることができる。サブフレームバンドリングオペレーションは、上位層によって提供されるパラメータttiBundlingによって構成され得る。
【００４３】
[0048]  ＴＴＩバンドリングがＵＥのために構成される場合、サブフレームバンドリングオペレーションは、アップリンク（ＵＬ）共有チャネル（ＳＣＨ）にのみ適用され、他のＵＬ信号／トラフィック（例えば、アップリンク制御情報（ＵＣＩ））には適用されないこともある。バンドリングサイズは、４サブフレームに固定され得る。つまり、物理アップリンク共有チャネル（ＰＵＳＣＨ）は、４つの連続したサブフレームで送信され得る。同一のハイブリッド自動再送要求（ＨＡＲＱ）処理数が、バンドルされたサブフレームの各々において使用され得る。リソース割り当てサイズは、３つのリソースブロック（ＲＢ）までに制限され得る。変調次数は、２に設定され得る（例えば、４相位相シフトキーイング（ＱＰＳＫ））。バンドルは単一のリソースとして扱われることができ、例えば、単一の許可および単一のＨＡＲＫ肯定応答（ＡＣＫ）が各バンドルについて使用される。
【００４４】
[0049]  ＴＴＩバンドリングは、低レートトラフィックのために主に使用され得る。ボイスオーバーインターネットプロトコル（ＶｏＩＰ）パケットがアップリンクのための低リンクバジェットのために単一のＴＴＩで送信されない場合、レイヤ２（Ｌ２）セグメンテーションが適用され得る。例えば、ＶｏＩＰパケットは、４つの連続したＴＴＩにおいて送信される４つの無線リンク制御（ＲＬＣ）プロトコルデータユニット（ＰＤＵ）においてセグメント化され得、２つまたは３つのＨＡＲＱ再送信が、十分なカバレージを達成するためにターゲットにされ得る。しかしながら、このアプローチは、いくつかの欠点を有し得る。例えば、各追加のセグメントは、１バイトのＲＬＣ、１バイトの媒体アクセス制御（ＭＡＣ）、および３バイトのＬ１巡回冗長検査（ＣＲＣ）オーバーヘッド（例えば、３３バイトのＲＬＣサービスデータユニット（ＳＤＵ）サイズを想定すると１５％のオーバーヘッド）を導入し得る。これは、４つのセグメントに関して、４５％の追加のＬ１／Ｌ２オーバーヘッドがあり得ることを意味する。
【００４５】
[0050]  さらに、全てのセグメントについてのＨＡＲＱ送信／再送信が、物理ダウンリンク制御チャネル（ＰＤＣＣＨ）上で許可（grant）を使用することができ、そしてそれはかなりのＰＤＣＣＨリソースを消費し得る。各ＨＡＲＱ送信または再送信は、後に物理ＨＡＲＱインジケータチャネル（ＰＨＩＣＨ）上のＨＡＲＱフィードバックが続き得る。１０−３のＮＡＣＫ−ＡＣＫの誤り率を想定すると、多数のＨＡＲＱフィードバック信号が高パケット損失確率を導き得る。例えば、１２のＨＡＲＱフィードバック信号が送られた場合、ＨＡＲＱフィードバックの誤り率は１．２×１０−２のオーダであり得る。１０−２より多いパケット損失率は、ＶｏＩＰトラフィックに受入可能でないこともある。
【００４６】
[0051]  ＴＴＩバンドリングにおいて、ＴＴＩバンドルごとの単一のＰＨＩＣＨ信号および単一のアップリンク許可のみの使用が有利であり得る。また、Ｌ１およびＬ２オーバーヘッドは、Ｌ２セグメンテーションが必要とされないため、最小化され得る。
【００４７】
[0052]  媒体データレート物理アップリンク共有チャネル（ＰＵＳＣＨ）、およびＵＬ ＶｏＩＰのためのカバレージ改善が、所望され得る。潜在的な解決策を特定する検討のための最小利得が、媒体データレートＰＵＳＣＨおよびＵＬ ＶｏＩＰの両方について１ｄＢであり得る。潜在的な解決策は、Ｌ１／上位層プロトコルオーバーヘッドおよびレイテンシーを考慮しながら、媒体データレートおよびＶｏＩＰのためのＴＴＩバンドリングエンハンスメントである。
【００４８】
[0053]  低コストに加えて、低カバレージエリア内（例えば、地下）にあるデバイス（例えば、マシンタイプ通信（ＭＴＣ）デバイス）をカバーするために、１５ｄＢ〜２０ｄＢのカバレージエンハンスメントが所望され得る。大きなＴＴＩバンドリングサイズ（例えば、１００サブフレームのオーダ）が、ＵＬカバレージエンハンスメントに対処するための１つの可能性のある解決策であり得る。大きなＴＴＩバンドリングサイズは、ダウンリンク（ＤＬ）カバレージエンハンスメントにも考慮される可能性があり得る。
【００４９】
[0054]  ダウンリンクにおいて、ＴＴＩバンドリングは、物理ブロードキャストチャネル（ＰＢＣＨ）、物理ダウンリンク制御チャネル（ＰＤＣＣＨ）、エンハンストＰＤＣＣＨ（ｅＰＤＣＣＨ）、ＰＨＩＣＨ、および物理ダウンリンク共有チャネル（ＰＤＳＣＨ）のために提案されてきた。アップリンク上で、ＴＴＩバンドリングは、ランダムアクセスチャネル（ＲＡＣＨ）、物理アップリンク制御チャネル（ＰＵＣＣＨ）、およびＰＵＳＣＨのために提案されてきた。
【００５０】
[0055]  ブロードキャストＰＤＳＣＨは、ページングのためのＰＤＳＣＨ、システム情報ブロードキャスト（ＳＩＢ）のためのＰＤＳＣＨ、ランダムアクセス応答のためのＰＤＳＣＨ等を含む。ブロードキャストＰＤＳＣＨのためのＴＴＩバンドリングのケースにおいて、いくつかの特別なルールが、適切なシステムオペレーションを確実にし得る。
【００５１】
[0056]  第１の例において、ＵＥは、チャネル状態情報（ＣＳＩ）基準信号（ＲＳ）は、セル特有のページング構成とともに任意のＵＥのためのプライマリセルにおけるページングメッセージの送信のために構成されたサブフレームにおいてプライマリセルで送信されないことを想定し得る。
【００５２】
[0057]  第２の例において、ＵＥは、ＣＳＩ−ＲＳはＣＳＩ−ＲＳの送信がSystemInformationBlockType1メッセージと衝突し得るサブフレームにおいて送信されないと想定し得る。
【００５３】
[0058]  第３の例において、ＵＥは、ポジショニング基準信号（ＰＲＳ）は、ＵＥがＵＥを対象としたダウンリンク制御情報（ＤＣＩ）フォーマット１Ａまたは１Ｃを有するシステム情報無線ネットワーク一時識別子（ＳＩ−ＲＮＴＩ）またはページングＲＮＴＩ（Ｐ−ＲＮＴＩ）によってスクランブルされた巡回冗長検査（ＣＲＣ）を有する検出されたＰＤＣＣＨにしたがってＰＤＳＣＨを復号するＲＢにおいて存在しないと想定し得る。
【００５４】
[0059]  第４の例において、ブロードキャストＰＤＳＣＨは、セル特有の基準信号（ＣＲＳ）に基づき得る。非ＭＢＭＳ（マルチメディアブロードキャストマルチキャストサービス）トラフィックが許可されるマルチメディアブロードキャスト単一周波数ネットワーク（ＭＢＳＦＮ）サブフレームにおいて、ＣＲＳがないことがあり、ＵＥ−ＲＳベースのＰＤＳＣＨのみがサポートされ得る（ＭＢＳＦＮはまた、ＭＢＭＳ単一周波数ネットワーク、マルチメディアブロードキャスト単一周波数ネットワーク等とも称され得る）。
【００５５】
[0060]  したがって、所望されるものは、適切なシステムオペレーションを確実にし得るＰＤＳＣＨのためのＴＴＩバンドリングのための技法である。
【００５６】
[0061]  ロングタームエボリューション（ＬＴＥ）における送信時間インターバル（ＴＴＩ）バンドリングおよび物理ダウンリンク共有チャネル（ＰＤＳＣＨ）のための技法が、ここに提供される。ある特定の態様にしたがうと、ＰＤＳＣＨのためのＴＴＩバンドリングが、基準信号（ＲＳ）（例えば、チャネル状態情報（ＣＳＩ）ＲＳまたはポジショニングＲＳ（ＰＲＳ））との衝突の場合に適切なシステムオペレーションを確実にするためにサブフレーム依存であり得る。例えば、サブフレームの可能性のあるサブセットのみがバンドルされ得る。衝突を回避するために、基準信号が特定のサブフレームにおいてドロップされ得る。特定の態様について、基準信号がＰＤＳＣＨをパンクチャし得る、またはレートマッチングが基準信号によって占有されたリソースエレメントのまわりで実行され得る。特定の態様について、異なる技法が、ＰＤＳＣＨの異なるタイプ（例えば、ページングのためのＰＤＳＣＨ、システム情報ブロードキャスト（ＳＩＢ）を有するブロードキャストＰＤＳＣＨ、ランダムアクセス応答のためのＰＤＳＣＨ）のために使用され得る。
【００５７】
[0062]  ある特定の態様にしたがうと、ブロードキャストＰＤＳＣＨのためのＴＴＩバンドリングは、全ての可能性のあるサブフレームにおいてに対して、サブフレームのサブセットのみにおいて実行され得る。図３は、本開示のある特定の実施形態にしたがって、ＦＤＤのためのブロードキャストＰＤＳＣＨ ＴＴＩバンドリングのための可能性のあるサブフレームを有する例示的なフレーム構成３００を図示する。ある態様において、ＴＴＩバンドリングは、サブフレーム依存であり得、つまり、ＴＴＩバンドリングはいくつかのサブフレームで実行され得るが他のサブフレームでは実行されないこともある。図３に図示されるように、１つの例において、周波数分割デュプレックス（ＦＤＤ）ＰＤＳＣＨ送信のために、ＴＴＩバンドリングは、サブフレーム０、４、５、および９でのみ実行され得る。図３に図示されていないが、別の例において、時分割デュプレックス（ＴＤＤ）ＰＤＳＣＨ送信のために、ＴＴＩはサブフレーム０、１、５、および６で実行され得る。
【００５８】
[0063]  ある特定の態様にしたがうと、ブロードキャストＰＤＳＣＨ ＴＴＩバンドリングのためのサブフレームのサブセットは、仕様においてハードコード化され（hardcoded）得る。代わりに、ブロードキャストＰＤＳＣＨ ＴＴＩバンドリングのためのサブフレームのサブセットが、（例えば、ブロードキャストまたは専用のシグナリングを介して）ＵＥにシグナリングされ得る。サブセットをシグナリングすることは、より柔軟なアプローチであり得る。
【００５９】
[0064]  ある特定の態様にしたがうと、異なるタイプのブロードキャストＰＤＳＣＨ（例えば、ページング、ＳＩＢを有するＰＤＳＣＨ等）が、サブフレームの同一のまたは異なるサブセットを使用し得る。例えば、ページングＴＴＩバンドリングは、サブフレーム０／４／５／９のみにおいてあり得る一方で、ＳＩＢを有するブロードキャストＰＤＳＣＨは、セルのために構成された任意の非ＭＢＳＦＮサブフレームにおいてあり得る（例えば、セルがＭＢＳＦＮサブフレームのためのサブフレーム３および７を有する場合、ＳＩＢを有するブロードキャストＰＤＳＣＨのためのＴＴＩバンドリングは、サブフレーム０、１、２、４、５、６、８、および９においてあり得る）。
【００６０】
[0065]  いくつかのケースにおいて、ＰＤＳＣＨはＲＳと衝突し得る。ある特定の態様にしたがうと、ＰＤＳＣＨは、ＣＳＩ−ＲＳと衝突し得る。ある態様において、ＵＥがページングのためのＴＴＩバンドリングを認識している場合、ＣＳＩ−ＲＳは、ページングのためのＴＴＩバンドリングに潜在的に含まれ得る全てのサブフレームにおいてドロップされ得る。ＣＳＩ−ＲＳをドロップすることは、当初定義されたセル特有のページングサブフレームのセットのみに限定されないこともある。
【００６１】
[0066]  ある態様において、ＣＳＩ−ＲＳは、当初定義されたセル特有のページングサブフレームのセットに対してのみドロップされることができ、ＣＳＩ−ＲＳは、ページングのためのＴＴＩバンドリングに含まれている他のサブフレームにおいてドロップされないこともある。ある態様において、ＣＳＩ−ＲＳは、それから、ページングのためのＴＴＩバンドリングに含まれている他のサブフレームにおいて対応するＰＤＳＣＨをパンクチャし得る。代わりに、ＰＤＳＣＨのためのレートマッチングが、ＣＳＩ−ＲＳによって占有されたＲＥのまわりで実行され得る。
【００６２】
[0067]  ある特定の態様にしたがうと、ＳＩＢを有するＰＤＳＣＨは、ＣＳＩ−ＲＳと衝突し得る。ある態様において、ＳＩＢを有するＰＤＳＣＨと衝突するＣＳＩ−ＲＳは、ＰＤＳＣＨがバンドルにおける第１のサブフレームにあるかまたはバンドルにおける後続のサブフレームにあるかにかかわらず、ドロップされ得る。代わりに、ＣＳＩ−ＲＳは、バンドルにおける第１のサブフレームにおいてのみドロップされ得るが、バンドルにおける後続のサブフレームにおいてはドロップされないこともある。ＳＩＢのためのバンドルにおけるＰＤＳＣＨの第１のサブフレーム、および他のＵＥのためのＳＩＢのためのバンドリングなしのＰＤＳＣＨは、同一のサブフレームにおいてあり得る。例えば、ＳＩＢを有する２つのセットのＰＤＳＣＨがあり得、１つはバンドリングを実行するＵＥのため、もう１つは通常のＵＥのためのものであり、２つのセットはサブフレームにおいてアライン(align)され得る。第３の代替例において、ＣＳＩ−ＲＳは、通常のＵＥのためのＳＩＢを有するＰＤＳＣＨ（例えば、ＳＩＢを有するＰＤＳＣＨ ＴＴＩバンドリングがない）が送信されるサブフレームにおいてのみドロップされ得る。このアプローチは、ＣＳＩ−ＲＳがセル特有であるように構成される、および／またはマシンタイプコミュニケーション（ＭＴＣ）ＵＥおよび通常のＵＥのためのＣＳＩ−ＲＳが大部分オーバーラップしている場合、特に所望され得る。
【００６３】
[0068]  ある特定の態様にしたがうと、ＣＳＩ−ＲＳがＳＩＢを有する任意のＰＤＳＣＨと衝突する場合、ＰＤＳＣＨはＣＳＩ−ＲＳによりパンクチャされ得る。代わりに、レートマッチングが、ＣＳＩ−ＲＳにより占有されたＲＥのまわりで実行され得る。
【００６４】
[0069]  ある特定の態様にしたがうと、ＴＴＩバンドリングの下にあるＳＩ−ＲＮＴＩまたはＰ−ＲＮＴＩと関連付けられたＰＤＳＣＨについて、バンドルにおけるいくつかのＰＤＳＣＨ送信が、ＰＲＳと衝突しないこともある（例えば、非ＰＲＳサブフレームにおいて）一方で、バンドルにおける他のＰＤＳＣＨ送信は、ＰＲＳと衝突し得る（例えば、ＰＲＳサブフレームにおいて、およびＰＲＳは狭帯域または広帯域のいずれかである）。
【００６５】
[0070]  ある特定の態様にしたがうと、衝突処理は、バンドル内のサブフレームに依存し得る。例として、ＴＴＩバンドリングの第１のサブフレームにおいて衝突がある場合、ＵＥは、ＰＲＳがドロップされるべきであると想定し得る。しかしながら、ＴＴＩバンドリングの第１のサブフレーム以外のサブフレームにおいて衝突がある場合、ＵＥはＰＤＳＣＨ送信がドロップされるべきであると想定し得る。代わりに、ＵＥは、衝突がある場合、ＰＲＳがＴＴＩバンドリングの第１のサブフレームにおいてドロップされるべきであると想定し得、ＰＤＳＣＨ送信は、送信がＰＲＳと衝突する場合、ＴＴＩバンドリングの後続のサブフレームにおいて部分的にドロップされ、ドロッピングはオーバーラップされた部分のみについてである。第３の代替において、ＰＲＳは、バンドル内のサブフレームにかかわらず衝突がある場合、常にドロップされ得る。
【００６６】
[0071]  ある特定の態様にしたがうと、ＴＴＩバンドルは、ＭＢＳＦＮサブフレームに含まれ得る。ある態様において、ＵＥは、復号のためにＭＢＳＦＮサブフレームをスキップし得る。代わりに、ＵＥは、サブフレーム内のＣＲＳに基づいてＰＤＳＣＨを送信し得る（例えば、ＣＲＳは、部分的にまたは完全にのいずれかで、ＭＢＳＦＮ領域で再活性化される）。別の代替において、ＵＥは、サブフレームにおけるＵＥ−ＲＳパターンに基づいてＰＤＳＣＨを送信し得る。第４の代替において、ＵＥは、衝突をエラーイベントとして扱い得る。
【００６７】
[0072]  ある特定の態様にしたがうと、上述のアプローチは、ユニキャストまたはブロードキャストＰＤＳＣＨのいずれかに適用され得る。特に、ユニキャストＰＤＳＣＨおよびＭＢＳＦＮサブフレームについて、同一のＴＴＩバンドルについて異なるサブフレームにおいてＣＲＳベースのＰＤＳＣＨおよびＵＥ−ＲＳベースのＰＤＳＣＨを有することは、可能であるが所望されないこともある。
【００６８】
[0073]  図４は、本開示のある特定の態様にしたがう、ワイヤレス通信のための例示的な動作４００を図示する。動作４００は、例えば、（例えば、ＡＴ１２２と同様の）ＵＥによって実行され得る。動作４００は、４０２において、物理ダウンリンク共有チャネル（ＰＤＳＣＨ）上でデータを送信するためのサブフレームのセットからのサブフレームのサブセットを備える送信時間インターバル（ＴＴＩ）バンドルを識別することによって、開始し得る。ある態様において、ＵＥは、サブフレームのサブセットを示すＢＳからのシグナリングを受信し得る。サブフレームのサブセットは、ＳＩＢを有するＰＤＳＣＨのためのＭＢＳＦＮサブフレームであり得る。
【００６９】
[0074]  ４０４において、ＵＥは、サブフレームのサブセットにおいてＰＤＳＣＨ上でデータを受信し得る。ある特定の態様について、ＰＤＳＣＨは、ブロードキャストまたはユニキャストＰＤＳＣＨであり得、ＦＤＤまたはＴＤＤのフレーム構造内にあり得る。 
[0075]  ある特定の態様にしたがうと、ＵＥは、サブフレームのサブセットにおける少なくとも１つのサブフレームにおいて送信するように構成された別の信号を識別し得る（例えば、ＰＤＳＣＨおよび他の信号間の衝突を検出する）。ある態様において、信号は、ＰＲＳ、ＣＳＩ−ＲＳ、またはＭＢＳＦＮサブフレームであり得る。ＵＥは、他の信号をドロップし得、信号は、ＰＤＳＣＨをパンクチャし得、またはレートマッチングが信号により占有されたＲＥのまわりで実行され得る。
【００７０】
[0076]  図５は、本開示のある特定の実施形態にしたがう、ワイヤレス通信のための例示的な動作５００を図示する。動作５００は、例えば、（例えば、ＡＰ１０２と同様の）基地局（ＢＳ）によって実行され得る。動作５００は、５０２において、物理ダウンリンク共有チャネル（ＰＤＳＣＨ）上でデータを送信するためのサブフレームのセットからのサブフレームのサブセットを備える送信時間インターバル（ＴＴＩ）バンドルを識別することによって、開始し得る。ある態様において、ＢＳは、サブフレームのサブセットの表示をＵＥにシグナリングし得る。サブフレームのサブセットは、ＳＩＢを有するＰＤＳＣＨのためのＭＢＳＦＮサブフレームであり得る。
【００７１】
[0077]  ５０４において、ＢＳは、サブフレームのサブセットにおいてＰＤＳＣＨ上でデータを送信し得る。ある態様において、ＰＤＳＣＨは、ブロードキャストまたはユニキャストＰＤＳＣＨであり得、ＦＤＤまたはＴＤＤのフレーム構造内にあり得る。
【００７２】
[0078]  ある特定の態様にしたがうと、ＢＳは、サブフレームのサブセットにおける少なくとも１つのサブフレームにおいて送信するように構成された別の信号を識別し得る（例えば、ＰＤＳＣＨと、例えばＰＲＳ、ＣＳＩ−ＲＳ、またはＭＢＳＦＮサブフレームといった他の信号との間の衝突を検出する）。ＢＳは、他の信号をドロップし得、信号はＰＤＳＣＨをパンクチャし得、またはレートマッチングが信号により占有されたＲＥのまわりで実行され得る。
【００７３】
［0079］  本明細書において使用される場合、項目のリスト「のうちの少なくとも１つ」というフレーズは、単一の要素を含む、それらの項目の任意の組み合わせに言及するものである。例として、「ａ、ｂ、またはｃのうちの少なくとも１つ」は、ａ、ｂ、ｃ、ａ−ｂ、ａ−ｃ、ｂ−ｃ、およびａ−ｂ−ｃをカバーすることを意図する。
【００７４】
［0080］  上述された方法の様々な動作は、図面に示されたミーンズプラスファンクションブロックに対応する、様々なハードウェアおよび／またはソフトウェア／ファームウェアの、（単数または複数の）コンポーネントおよび／または（単数または複数の）モジュールによって実行され得る。本開示に関連して説明した、様々な例示的な論理ブロック、モジュールおよび回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）、または他のプログラマブル論理デバイス（ＰＬＤ）、離散ゲートまたはトランジスタ論理、離散ハードウェアコンポーネント、あるいは、ここで記述した機能を実行するように設計されたこれらの任意の組み合わせで、実装または実行され得る。汎用プロセッサは、マイクロプロセッサであることができるが、その代わりに、プロセッサは、商業的に利用可能な任意のプロセッサ、コントローラ、マイクロコントローラ、またはステートマシンであり得る。プロセッサはまた、コンピューティングデバイスの組み合わせ、例えば、ＤＳＰとマイクロプロセッサとの組み合わせ、複数のマイクロプロセッサ、ＤＳＰコアと結合された１つまたは複数のマイクロプロセッサ、または任意の他のそのような構成として、実装され得る。
【００７５】
[0081]  ここでの開示に関連して説明された方法またはアルゴリズムのステップは、ハードウェアで直接的に、プロセッサによって実行されるソフトウェア／ファームウェアモジュールで、またはそれらの組み合わせで具現化され得る。ソフトウェア／ファームウェアモジュールは、技術的に知られている何らかの形態の記憶媒体中に存在することができる。使用され得る記憶媒体のいくつかの例は、ランダムアクセスメモリ（ＲＡＭ）、リードオンリーメモリ（ＲＯＭ）、フラッシュメモリ、ＥＰＲＯＭメモリ、ＥＥＰＲＯＭ（登録商標）メモリ、相変化メモリ（ＰＣＭ）、レジスタ、ハードディスク、リムーバルディスク、ＣＤ−ＲＯＭ等を含む。ソフトウェア／ファームウェアモジュールは、単一の命令または多くの命令を備えることができ、いくつかの異なるコードセグメントを通して、異なるプログラム間で、および、複数の記憶媒体にわたって、分散され得る。記憶媒体は、プロセッサが記憶媒体から情報を読み取り、記憶媒体に情報を書き込むことができるように、プロセッサに結合され得る。あるいは、記憶媒体は、プロセッサに組み込まれ得る。
【００７６】
［0082］  本明細書に開示された方法は、説明された方法を達成するための１つまたは複数のステップまたは動作を備える。方法のステップおよび／または動作は、本願の特許請求の範囲から逸脱せずに、互いに置き換えられ得る。すなわち、ステップまたは動作の特定の順序が指定されない限り、特定のステップおよび／または動作の順序および／または使用は、本願の特許請求の範囲から逸脱せずに変更されることができる。
【００７７】
[0083]  説明された機能は、ハードウェア、ソフトウェア／ファームウェア、またはそれらの組み合わせで実装されることができる。ソフトウェア／ファームウェアで実装される場合、機能は、コンピュータ読取可能な媒体上で、１つまたは複数の命令として、格納され得る。記憶媒体は、コンピュータによってアクセスされ得る任意の利用可能な媒体であり得る。限定ではなく例として、このようなコンピュータ読取可能な媒体は、ＲＡＭ、ＲＯＭ、ＥＥＰＲＯＭ、ＣＤ−ＲＯＭ、または他の光ディスク記憶装置、磁気ディスク記憶装置、またはその他の磁気記憶デバイス、あるいは、データ構造または命令の形式で所望のプログラムコードを記憶または搬送するために使用することができ、コンピュータによってアクセスされ得るその他任意の媒体を備え得る。ディスク（disk）およびディスク（disc）は、ここで使用される場合、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびブルーレイ（登録商標）ディスク（disc）を含み、ディスク（disk）は通常、磁気的にデータを再生するが、ディスク（disc）は、レーザーを用いて光学的にデータを再生する。
【００７８】
［0084］  ソフトウェア／ファームウェア命令は、伝送媒体によって伝送されることもできる。例えば、ソフトウェア／ファームウェアが、ウェブサイト、サーバ、または他のリモートソースから、同軸ケーブル、光ファイバーケーブル、ツイストペア、デジタル加入者回線（ＤＳＬ）、または赤外線、無線、およびマイクロ波のようなワイヤレス技術を使用して伝送される場合、同軸ケーブル、光ファイバーケーブル、ツイストペア、ＤＳＬ、または赤外線、無線、およびマイクロ波のようなワイヤレス技術は、伝送媒体の定義に含まれる。
【００７９】
［0085］  さらに、ここに説明された方法および技法を実行するためのモジュールおよび／または他の適切な手段が、適用可能なようにユーザ端末および／または基地局によって、ダウンロードされ得ること、および／または、その他の方法で取得され得ることが理解されるべきである。例えば、そのようなデバイスは、ここに説明された方法を実行するための手段の転送を容易にするために、サーバに結合されることができる。代替的に、ユーザ端末および／または基地局が、記憶手段をデバイスに結合するとき、または、記憶手段をデバイスに提供するときに、様々な方法を取得できるように、ここで記述した様々な方法は、記憶手段（例えば、ＲＡＭ、ＲＯＭ、コンパクトディスク（ＣＤ）もしくはフロッピーディスクのような物理記憶媒体等）を介して提供することができる。さらに、ここで記述した方法および技法をデバイスに提供する他の何らかの適切な技法を利用することができる。
【００８０】
［0086］  本願の特許請求の範囲が、上述された、まさにその構成およびコンポーネントに限定されないことが理解されるべきである。特許請求の範囲から逸脱することなく、上述した方法および装置の、構成、動作、および詳細において、様々な修正、変更、およびバリエーションがなされることができる。
【００８１】
［0087］  上記は、本開示の実施形態に関するものであるが、本開示の他の実施形態およびさらなる実施形態が、その基本的な範囲から逸脱せずに考案されることができ、その範囲は、下記の特許請求の範囲によって決定される。
以下に本願の出願当初の特許請求の範囲に記載された発明を付記する。
[Ｃ１]  物理ダウンリンク共有チャネル（ＰＤＳＣＨ）上でデータを送信するためのサブフレームのセットからのサブフレームのサブセットを備える送信時間インターバル（ＴＴＩ）バンドルを識別することと、
サブフレームの前記サブセットにおいて前記ＰＤＳＣＨ上で前記データを受信することと、を備える、ユーザ機器（ＵＥ）によるワイヤレス通信のための方法。
[Ｃ２]  前記ＰＤＳＣＨは、ブロードキャストまたはユニキャストである、Ｃ１に記載の方法。
[Ｃ３]  前記データは、周波数分割デュプレックス（ＦＤＤ）または時分割デュプレックス（ＴＤＤ）のフレーム構造内にある、Ｃ１に記載の方法。
[Ｃ４]  サブフレームの前記サブセットを示すシグナリングを受信することをさらに備える、Ｃ１に記載の方法。
[Ｃ５]  サブフレームの前記サブセットは、ブロードキャストＰＤＳＣＨのためのマルチブロードキャスト単一周波数ネットワーク（ＭＢＳＦＮ）サブフレームではないサブフレームを備える、Ｃ１に記載の方法。
[Ｃ６]  サブフレームの前記サブセットにおける少なくとも１つのサブフレームにおいて送信するように構成された別の信号を識別することと、
前記識別に応答してアクションを取ることと、をさらに備える、Ｃ１に記載の方法。
[Ｃ７]  前記ＰＤＳＣＨは、ページング、システム情報ブロードキャスト、またはランダムアクセス応答のうちの少なくとも１つのためのものであり、
前記別の信号は、チャネル状態情報（ＣＳＩ）基準信号（ＣＳＩ−ＲＳ）を備え、
前記アクションを取ることは、サブフレームの前記サブセットにおいて前記ＰＤＳＣＨを前記ＣＳＩ−ＲＳでパンクチャすること、または前記ＣＳＩ−ＲＳにより占有されたリソースエレメント（ＲＥ）のまわりで前記ＰＤＳＣＨのためのレートマッチングを実行することのうちの少なくとも１つを備える、Ｃ６に記載の方法。
[Ｃ８]  前記別の信号は、基準信号（ＲＳ）を備え、
前記アクションを取ることは、前記ＲＳをドロップすることを備える、Ｃ６に記載の方法。
[Ｃ９]  前記ＲＳは、チャネル状態情報（ＣＳＩ）基準信号（ＣＳＩ−ＲＳ）を備え、
前記ＲＳを前記ドロップすることは、
ページングのためのＴＴＩバンドリングのための全ての可能性のあるサブフレームと、
ページングのためのＴＴＩバンドリングに含まれるセル特有のサブフレームと、
システム情報ブロードキャスト（ＳＩＢ）を有するブロードキャストＰＤＳＣＨのためのサブフレームの前記サブセットと、
サブフレームの前記サブセットの第１のサブフレームと、
のうちの少なくとも１つにおいて前記ＣＳＩ−ＲＳをドロップすることを備える、Ｃ８に記載の方法。
[Ｃ１０]  前記ＲＳは、ポジショニング基準信号（ＰＲＳ）を備え、
前記ＲＳを前記ドロップすることは、サブフレームの前記サブセットの第１のサブフレームにおいて前記ＰＲＳをドロップすることを備え、
サブフレームの前記サブセットの残りのサブフレームにおいてＰＤＳＣＨ送信をドロップすることまたは部分的にドロップすることをさらに備える、Ｃ８に記載の方法。
[Ｃ１１]  前記ＲＳは、ポジショニング基準信号（ＰＲＳ）を備え、
前記ＲＳを前記ドロップすることは、サブフレームの前記サブセットにおいて前記ＰＲＳをドロップすることを備える、Ｃ８に記載の方法。
[Ｃ１２]  前記アクションを取ることは、サブフレームの前記サブセットにおいてマルチブロードキャスト単一周波数ネットワーク（ＭＢＳＦＮ）サブフレームを復号することをスキップすることを備える、Ｃ６に記載の方法。
[Ｃ１３]  前記アクションを取ることは、サブフレームの前記サブセットにおけるマルチブロードキャスト単一周波数ネットワーク（ＭＢＳＦＮ）サブフレーム内のＵＥ特有のＲＳまたはセル特有の基準信号（ＣＲＳ）に基づいてＰＤＳＣＨを受信することを備える、Ｃ６に記載の方法。
[Ｃ１４]  前記アクションを取ることは、サブフレームの前記サブセットにおけるマルチブロードキャスト単一周波数ネットワーク（ＭＢＳＦＮ）サブフレームのためのエラーイベントを宣言することを備える、Ｃ６に記載の方法。
[Ｃ１５]  物理ダウンリンク共有チャネル（ＰＤＳＣＨ）上でデータを送信するためのサブフレームのセットからのサブフレームのサブセットを備える送信時間インターバル（ＴＴＩ）バンドルを識別することと、
サブフレームの前記サブセットにおいて前記ＰＤＳＣＨ上で前記データを送信することと、を備える、基地局（ＢＳ）によるワイヤレス通信のための方法。
[Ｃ１６]  前記ＰＤＳＣＨは、ブロードキャストまたはユニキャストである、Ｃ１５に記載の方法。
[Ｃ１７]  前記データは、周波数分割デュプレックス（ＦＤＤ）または時分割デュプレックス（ＴＤＤ）のフレーム構造内にある、Ｃ１５に記載の方法。
[Ｃ１８]  サブフレームの前記サブセットの表示をシグナリングすることをさらに備える、Ｃ１５に記載の方法。
[Ｃ１９]  サブフレームの前記サブセットは、システム情報ブロック（ＳＩＢ）を有するＰＤＳＣＨのためのマルチメディアブロードキャスト単一周波数ネットワーク（ＭＢＳＦＮ）サブフレームではないサブフレームを備える、Ｃ１５に記載の方法。
[Ｃ２０]  サブフレームの前記サブセットにおける少なくとも１つのサブフレームにおいて送信するように構成された別の信号を識別することと、
前記識別に応答してアクションを取ることと、をさらに備える、Ｃ１５に記載の方法。
[Ｃ２１]  前記ＰＤＳＣＨは、ページング、システム情報ブロードキャスト、またはランダムアクセス応答の少なくとも１つのためのものであり、
前記別の信号は、チャネル状態情報（ＣＳＩ）基準信号（ＲＳ）を備え、
前記アクションを取ることは、サブフレームの前記サブセットにおいて前記ＰＤＳＣＨを前記ＣＳＩ−ＲＳでパンクチャすること、または前記ＣＳＩ−ＲＳにより占有されたリソースエレメント（ＲＥ）のまわりで前記ＰＤＳＣＨのためのレートマッチングを実行することのうちの少なくとも１つを備える、Ｃ２０に記載の方法。
[Ｃ２２]  前記別の信号は、基準信号（ＲＳ）を備え、
前記アクションを取ることは、前記ＲＳをドロップすることを備える、Ｃ２０に記載の方法。
[Ｃ２３]  前記ＲＳは、チャネル状態情報（ＣＳＩ）基準信号（ＣＳＩ−ＲＳ）を備え、
前記ドロップすることは、
ページングのためのＴＴＩバンドリングのための全ての可能性のあるサブフレームと、
ページングのためのＴＴＩバンドリングに含まれるセル特有のサブフレームと、
システム情報ブロードキャスト（ＳＩＢ）を有するブロードキャストＰＤＳＣＨのためのサブフレームの前記サブセットと、
サブフレームの前記サブセットの第１のサブフレームと、
のうちの少なくとも１つにおいて前記ＣＳＩ−ＲＳをドロップすることを備える、Ｃ２２に記載の方法。
[Ｃ２４]  前記ＲＳは、ポジショニング基準信号（ＰＲＳ）を備え、
前記ＲＳを前記ドロップすることは、サブフレームの前記サブセットの第１のサブフレームにおいて前記ＰＲＳをドロップすることを備え、
サブフレームの前記サブセットの残りのサブフレームにおいてＰＤＳＣＨ送信をドロップすることまたは部分的にドロップすることをさらに備える、Ｃ２２に記載の方法。
[Ｃ２５]  前記ＲＳは、ポジショニング基準信号（ＰＲＳ）を備え、
前記ＲＳを前記ドロップすることは、サブフレームの前記サブセットにおいて前記ＰＲＳをドロップすることを備える、Ｃ２２に記載の方法。
[Ｃ２６]  前記アクションを取ることは、サブフレームの前記サブセットにおけるマルチブロードキャスト単一周波数ネットワーク（ＭＢＳＦＮ）サブフレーム内のＵＥ特有のＲＳまたはセル特有の基準信号（ＣＲＳ）に基づいてＰＤＳＣＨを送信することを備える、Ｃ２０に記載の方法。
[Ｃ２７]  物理ダウンリンク共有チャネル（ＰＤＳＣＨ）上でデータを送信するためのサブフレームのセットからのサブフレームのサブセットを備える送信時間インターバル（ＴＴＩ）バンドルを識別するための手段と、
サブフレームの前記サブセットにおいて前記ＰＤＳＣＨ上で前記データを受信するための手段と、を備える、ユーザ機器（ＵＥ）によるワイヤレス通信のための装置。
[Ｃ２８]  サブフレームの前記サブセットにおける少なくとも１つのサブフレームにおいて送信するように構成された別の信号を識別するための手段と、
前記識別に応答してアクションを取るための手段と、をさらに備える、Ｃ２７に記載の装置。
[Ｃ２９]  物理ダウンリンク共有チャネル（ＰＤＳＣＨ）上でデータを送信するためのサブフレームのセットからのサブフレームのサブセットを備える送信時間インターバル（ＴＴＩ）バンドルを識別するための手段と、
サブフレームの前記サブセットにおいて前記ＰＤＳＣＨ上で前記データを送信するための手段と、を備える、基地局（ＢＳ）によるワイヤレス通信のための装置。
[Ｃ３０]  サブフレームの前記サブセットにおける少なくとも１つのサブフレームにおいて送信するように構成された別の信号を識別するための手段と、
前記識別に応答してアクションを取るための手段と、をさらに備える、Ｃ２９に記載の装置。
【図１】
0006668237.tif 000002
【図２】
0006668237.tif 000003
【図３】
0006668237.tif 000004
【図４】
0006668237.tif 000005
【図５】
0006668237.tif 000006